(57)【要約】【課題】  ＦＴＹやゴム糸のような弾性糸でも目こぼれやほつれを起こすことがなく、確実にチンキング処理が行なえるようにして、柔軟性に富んだ製品を生産することができるポイント針を提供できるようにして着用感にすぐれた製品を生産することができるようにする。【解決手段】  リンキングミシンに装着されて使用されるポイント針であって、上部に取り付け部が形成され、下部の先鋭部に糸挿通孔が設けられ、当該糸挿通孔に糸を挿通した状態でポイント針が糸つかみ部材部分まで下降されたときに、糸つかみ部材がポイント針の糸を掴み易くするための隙間形成部を設けて構成した。【選択図】図２
2006218008.tif 000002
【特許請求の範囲】
【請求項１】
リンキングミシンに装着されて使用されるポイント針であって、上部に取り付け部が形成され、下部の先鋭部に糸挿通孔が設けられるとともに、当該糸挿通孔に糸を挿通した状態でポイント針が糸つかみ部材部分まで下降されたときに、糸つかみ部材がポイント針の糸を掴み易くするための隙間形成部を設けたことを特徴とするリンキング用ポイント針。
【請求項２】
隙間形成部が、ポイント針の糸挿通孔の上部若しくはその近傍の糸つかみ部材側部分を抉り又は／及び曲成して形成したことを特徴とする請求項１に記載のポイント針。
【発明の詳細な説明】
【技術分野】
【０００１】
本発明はリンキングミシンに装着されて使用されるポイント針に関するものである。
【背景技術】
【０００２】
一般に、ニット製品のように伸縮性を有する生地をカットアンドソーで製品を作る場合、カットされた布地を例えば特許文献１に示すようにリンキングミシンで縫着するようにしている。
ここで、リンキングミシンに装着されるポイント針１０６は、図４及び図５に示すように先端の先鋭部分を少し折り曲げ、この折り曲げ部に形成された糸挿通孔１１７にリンキング用の糸１１６を挿通した状態でポイント針１０６をワーク載せ台１０４のワーク１０４に突き刺し、上昇させたときに弛んでリンキング用の糸１１６とポイント針１０６との間に隙間が生じたときに糸つかみ部材１０８の先端部分にリンキング用の糸１１６を引っ掛けるようにしている。
【特許文献１】特開２００３−１６９９８０号公報
【発明の開示】
【発明が解決しようとする課題】
【０００３】
ところが、上記従来のポイント針で、例えばＦＴＹやゴム糸等の伸縮性を有する糸を使用すると、ポイント針が突き刺された時は糸が伸び、ポイント針が上昇してゆく時には意図が縮むためにポイント針との間に隙間が生じなくなる。このため、糸つかみ部材で糸がつかめず、目こぼれやほつれが起きてしまうという問題があった。
従って、従来では伸縮性を使用することができず、リンキングラインが硬くなり、その結果、着用感が阻害されてしまうという問題があった。
本発明は上記問題点に鑑み提案されたもので、ＦＴＹやゴム糸のような弾性糸でも目こぼれやほつれを起こすことがなく、確実にリンキング処理が行なえるようにして、柔軟性に富んだ製品を生産することができるポイント針を提供できるようにして着用感にすぐれた製品を生産することができるようにすることを目的とするものである。
【課題を解決するための手段】
【０００４】
上記目的を達成するために本発明にかかるリンキング用ポイント針は、リンキングミシンに装着されて使用されるポイント針であって、上部に取り付け部が形成され、下部の先鋭部に糸挿通孔が設けられ、当該糸挿通孔に糸を挿通した状態でポイント針が糸つかみ部材部分まで下降されたときに、糸つかみ部材がポイント針の糸を掴み易くするための隙間形成部を設けたことを最も主要な特徴とするものである。
【０００５】
また、本発明のリンキング用ポイント針では、隙間形成部が、ポイント針の糸挿通孔の上部若しくはその近傍の糸つかみ部材側部分を抉り又は／及び曲成して形成したことも特徴とするものである。
【発明の効果】
【０００６】
本発明のリンキング用ポイント針によれば、上部に取り付け部が形成され、下部の先鋭部に糸挿通孔が設けられ、当該糸挿通孔に糸を挿通した状態でポイント針が糸つかみ部材部分まで下降されたときに、糸つかみ部材がポイント針の糸を掴み易くするための隙間形成部を設けるようにしてあるので、弾性糸を使用した場合でも糸つかみ部材で確実に弾性糸をつかむことができる。
これにより、編地のように伸縮する生地のリンキング用糸としてＦＴＹやゴム糸のような弾性糸を使用することができ、柔軟性に富み、着用感に優れた製品を生産することができる利点がある。
【０００７】
また、隙間形成部を、ポイント針の糸挿通孔の上部若しくはその近傍の糸つかみ部材側部分を抉り又は／及び曲成して形成すると、上記効果に加えて、簡単な構造で安価に実施することができる利点もある。
【発明を実施するための最良の形態】
【０００８】
以下に本発明にかかる好ましい実施の形態を図面に基づいて説明する。
【実施例】
【０００９】
図１はリンキング装置のポイント針部分の斜視図であって、符号１は当該リンキング装置のポイント針部分を全体的に示す。
このリンキング装置のポイント針部分１は、ワーク載せ台２と、このワーク載せ台２に対して摺動可能で列状に立設された編目刺し用の針３と、編目刺し用の針３の近傍の編地等からなるワーク４を押さえるローラ５と、編目刺し用針３に掛止された編地等のワーク４を縫着するポイント針６とを備え、ワーク載せ台２の下方にはポイント針６とともに下降するリンキング用糸をつかむ糸つかみ部材（図３参照）８が設けてある。
【００１０】
上記ワーク載せ台２は、その上面が平板状に形成され、後述するポイント針６の直下には針挿通孔９が穿設され、挿通孔９の直近には編目指し用針３を摺動させるための摺動溝１０が形成されている（図３参照）。
編目刺し用３は、図３に示すように上記摺動溝１０を摺動する基材１１の上面から基材１１の摺動方向に１列状に植設して形成されている。
また、ワーク４を押さえるローラ５は、手動により上下昇降可能な部材１２から斜め下方に支持アーム１２を延出し、このアーム１２の先端部分にボールベアリングを取り付けて構成されている。
また、ワーク載せ台２の下方に配設される糸つかみ部材８は、図２に示すように嘴状に形成され、ポイント針６の昇降に連動して糸を先端に引っかけ、回動されるようになっている。
【００１１】
上記ポイント針６は、図３に示すように、上部に、円柱状に形成された取り付け部１３が形成され、その下方に針部分１４が形成されている。
針部分１４は、先端部分を一方に曲成するとともに、曲成部分１５にリンキング用の糸１６を挿通する糸挿通孔１７が貫設され、曲成部分１５より先端側部分を先細りの尖鋭部にしてある。
また、糸挿通孔１７の上部で、下降したポイント針６の糸つかみ部材８に対面する部分には隙間形成部１８が設けてある。
この隙間形成部１８は、糸つかみ部材８の先端部分が対面する側壁部分を抉ることにより、ポイント針６の糸挿通孔１７から連続するリンキング用の糸１６とポイント針６との間に隙間Ｓが形成されるようになっている。
なお、隙間形成部１８は、上記のように針部分１４の側壁部分を抉ったものに限られず、この抉りとともに、又は抉りに変えてポイント針６の当該部分を例えばＳ字状に曲成して形成することもできる。
【００１２】
上記のように形成されたリンキング用ポイント針６を使用して編地をリンキングする手順を次に説明する。
先ず、図外の駆動装置により昇降駆動される針取り付け部材２０に、ポイント針６を隙間形成部１８が糸つかみ部材８に対面する方向にとりつけ、糸挿入孔１７にゴム糸やＦＴＹ等の弾性糸からなるリンキング用の糸６を挿通する。
次に、編目刺し用の針３に縫着したいワーク４である編地の編目を刺し、これを載せ台２に装着するとリンキングの準備が完了する。
この状態で駆動装置を駆動させると、ポイント針６がその糸挿通孔１７にリンキング用の糸１６を挿通した状態で載せ台２のワーク４を貫通して糸つかみ部材８に下降する。
【００１３】
ポイント針６の下降で隙間形成部１８が糸つかみ部材８に対面したのに連動して糸つかみ部材８の嘴部分が回転し、隙間形成部１８のリンキング用の糸１６を銜えた後、回転してその糸１６を巻きつけた状態で保持する。
ここで、リンキング用の糸１６は、隙間形成部１８によりポイント針６から浮いているので、ゴム糸やＦＴＹ等の弾性糸であっても糸つかみ部材８に確実に銜えられる。
しかる後、ポイント針６は上昇するが、リンキング用の糸１６は糸つかみ部材８に保持されたままとなる。
そして、ワーク４が移動して再びポイント針６が載せ台２のワーク４を貫通してポイント針６の隙間形成部１８が糸つかみ部材８に対面する位置に状態に下降すると、糸つかみ部材８の嘴部分の先端で隙間形成部１８の新たなリンキング用の糸１６を引っかけてから反転する。
【００１４】
この反転によりその前に糸つかみ部材８に保持されていたリンキング用の糸１６が糸つかみ部材８からクリアされて、新しいリンキング用の糸１６に乗り移った状態になる。
以上の動作が繰り返されることによりリンキングによる縫着が行なわれ、最終部分ではほつれ止め処理がされる。
上記のように弾性糸からなるリンキング用の糸１６で縫着された編地（ワーク）４は、その延びに合わせてリンキング用の糸１６も伸縮するので、こうした編地４を着用した場合にも違和感がなく、着心地のよい編地製品にすることができる。
【００１５】
尚、上記実施例ではワーク４として編地を例示してあるが、こうしたものに限られず、伸縮性を有する布帛は勿論のこと、ゴムシート等の縫着にも使用することができる。
【図面の簡単な説明】
【００１６】
【図１】はリンキング装置のポイント針部分の斜視図である。
【図２】は本発明にかかるポイント針の使用状態の説明図である。
【図３】は本発明にかかるポイント針の斜視図である。
【図４】は従来例にかかるポイント針の斜視図である。
【図５】は従来例にかかるポイント針の使用状態の説明図である。
【符号の説明】
【００１７】
６・・・リンキング用ポイント針
８・・・糸つかみ部材
１７・・・糸挿通孔
１８・・・隙間形成部を設けたことを最も主要な特徴とするものである。
【図１】
2006218008.tif 000003
【図２】
2006218008.tif 000004
【図３】
2006218008.tif 000005
【図４】
2006218008.tif 000006
【図５】
2006218008.tif 000007